(57)【要約】      （修正有）【課題】ホーム基地局とそのホーム基地局によってサービスを提供される移動端末との間で転送される信号が、基地局とその基地局によってサービスを提供される移動端末との間で転送される信号と干渉するのを避ける方法を提供する。【解決手段】第１の基地局ＨＢＳのセルＡＲ２が第２の基地局ＢＳのセルＡＲ１に少なくとも部分的に含まれる。第１の基地局と第２の基地局との間でハンドオーバが実施されたか又は実施されなければならない移動端末ＭＴが、第２の基地局とその移動端末との間の経路に関連する情報を入手し、その情報を第１の基地局に転送する。【選択図】図１
2010183573.tif 000002
【特許請求の範囲】
【請求項１】
第１の基地局によって転送及び／又は受信される信号の送信電力を調整するための方法であって、該第１の基地局のセルは第２の基地局のセルに少なくとも部分的に含まれ、該方法は、該第１の基地局によって実行されるステップであって、
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間でハンドオーバが実施されなければならない移動端末と前記第２の基地局との間の経路に関連する情報を入手するステップと、
前記情報から測定基準を計算するステップと、
前記第１の基地局によってサービス提供される少なくとも１つの移動端末に前記第１の基地局によって転送される信号の送信電力、及び／又は前記第１の基地局によってサービス提供される少なくとも１つの移動端末によって前記第１の基地局に転送される信号の送信電力を、前記計算された測定基準に従って調整するステップと
を含むことを特徴とする、方法。
【請求項２】
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間で前記ハンドオーバが実施されなければならない移動端末と前記第２の基地局の間の経路に関連する情報は、前記第１の基地局によって前記第２の基地局から受信され、
該情報は、前記第１の基地局と前記第２の基地局との間で１つ若しくは複数のハンドオーバが実行された１つ若しくは複数の移動端末と前記第２の基地局との間の１つ若しくは複数の経路、及び／又は前記第１の基地局と前記第２の基地局との間でハンドオーバが実施されなければならない移動端末と前記第２の基地局との間の経路に関連する情報を、前記第２の基地局のサービスエリアに関連する情報で除算したものであることを特徴とする、請求項１に記載の方法。
【請求項３】
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間で前記ハンドオーバが実施されなければならない移動端末との間の経路に関連する情報は、
前記第２の基地局から受信された情報であって、前記第１の基地局と前記第２の基地局との間で１つ若しくは複数のハンドオーバが実施された１つ若しくは複数の移動端末と前記第２の基地局との間の経路、及び／又は前記第１の基地局と前記第２の基地局との間で前記ハンドオーバが実施されなければならない移動端末と前記第２の基地局との間の経路に関連する情報を、
前記第１の基地局によって求められた情報であって、前記第２の基地局のサービスエリアに関連する情報で除算することによって、
前記第１の基地局によって求められることを特徴とする、請求項１に記載の方法。
【請求項４】
前記第２の基地局のサービスエリアに関連し、且つ前記第１の基地局と前記第２の基地局との間で前記ハンドオーバが実施されたか又は実施されなければならない移動端末と前記第２の基地局との間の経路に関連する情報は、
前記移動端末から受信された情報であって、前記第１の基地局と前記第２の基地局との間でハンドオーバが実施されたか又は実施されなければならない移動端末と前記第２の基地局との間の経路に関連する情報を、
前記第１の基地局によって求められた情報であって、前記第２の基地局のサービスエリアに関連する情報で除算することによって、
前記第１の基地局によって求められることを特徴とする、請求項１に記載の方法。
【請求項５】
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ又は複数の経路、及び／又は前記第１の基地局と前記第２の基地局との間でハンドオーバが実施されなければならない移動端末と前記第２の基地局との間の経路に関連する情報は、
前記第１の基地局と前記第２の基地局との間で１つ若しくは複数のハンドオーバが実施された１つ若しくは複数の移動端末に向けられるデータの第２の基地局によるデータ伝送、若しくは該移動端末から向けられるデータの前記第２の基地局へのデータ伝送、及び／又はハンドオーバが実施されなければならない移動端末と前記第２の基地局との間の経路へのデータ伝送
に関する送信電力並びに／又は変調及び符号化方式から導出されることを特徴とする、請求項１から請求項４までのいずれか１項に記載の方法。
【請求項６】
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間でハンドオーバが実施されなければならない移動端末と前記第２の基地局との間の経路に関連する情報は、
前記第１の基地局と前記第２の基地局との間で１つ若しくは複数のハンドオーバが実施された１つ若しくは複数の移動端末と前記第２の基地局との間の１つ若しくは複数の往復遅延、及び／又は前記第１の基地局と前記第２の基地局との間でハンドオーバが実施されなければならない移動端末と前記第２の基地局との間の往復遅延から導出されることを特徴とする、請求項１から請求項４までのいずれか１項に記載の方法。
【請求項７】
第１の基地局によって転送及び／又は受信される信号の送信電力を調整するための装置であって、該第１の基地局のセルは第２の基地局のセルに少なくとも部分的に含まれ、該装置は、該第１の基地局に収容され、
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間でハンドオーバが実施されなければならない移動端末と前記第２の基地局との間の経路に関連する情報を入手する手段と、
前記情報から測定基準を計算する手段と、
前記第１の基地局によってサービス提供される少なくとも１つの移動端末に前記第１の基地局によって転送される信号の送信電力、及び／又は前記第１の基地局によってサービス提供される少なくとも１つの移動端末によって前記第１の基地局に転送される信号の送信電力を、前記計算された測定基準に従って調整する手段と
を備えることを特徴とする、装置。
【請求項８】
無線インターフェースを通じて第１の基地局によって転送及び／又は受信される信号の送信電力の調整を可能にする情報を転送するための方法であって、該第１の基地局のセルは第２の基地局のセルに少なくとも部分的に含まれ、該方法は、該第２の基地局によって実行されるステップであって、
前記第２の基地局のサービスエリアに関連し、且つ前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間でハンドオーバが実施されなければならない移動端末と前記第２の基地局との間の経路に関連する情報を入手するステップと、
前記情報を前記第１の基地局に転送するステップと
を含むことを特徴とする、方法。
【請求項９】
無線インターフェースを通じて第１の基地局によって転送及び／又は受信される信号の送信電力の調整を可能にする情報を転送するための方法であって、該第１の基地局のセルは第２の基地局のセルに少なくとも部分的に含まれ、該方法は、該第１の基地局と該第２の基地局との間でハンドオーバが実施されたか又は実施されなければならない移動端末によって実行されるステップであって、
前記第２の基地局と前記移動端末との間の経路に関連する情報を入手するステップと、
前記情報を前記第１の基地局に転送するステップと
を含むことを特徴とする、方法。
【請求項１０】
無線インターフェースを通じて第１の基地局によって転送及び／又は受信される信号の送信電力の調整を可能にする情報を転送するための装置であって、該第１の基地局のセルは第２の基地局のセルに少なくとも部分的に含まれ、該装置は該第２の基地局に収容され、該装置は、
前記第１の基地局と前記第２の基地局との間で１つ若しくは複数のハンドオーバが実施された１つ若しくは複数の移動端末と前記第２の基地局との間の１つ若しくは複数の経路、及び／又は前記第１の基地局と前記第２の基地局との間でハンドオーバが実施されなければならない移動端末と前記第２の基地局との間の経路に関連し、且つ前記第２の基地局のサービスエリアに関連する情報を入手する手段と、
前記情報を前記第１の基地局に転送する手段と
を備えることを特徴とする、装置。
【請求項１１】
無線インターフェースを通じて第１の基地局によって転送及び／又は受信される信号の送信電力の調整を可能にする情報を転送するための装置であって、該第１の基地局のセルは第２の基地局のセルに少なくとも部分的に含まれ、該装置は、該第１の基地局と該第２の基地局との間でハンドオーバが実施されたか又は実施されなければならない移動端末に収容され、該装置は、
前記第２の基地局と前記移動端末との間の経路に関連する情報を入手する手段と、
前記情報を前記第１の基地局に転送する手段と
を備えることを特徴とする、装置。
【請求項１２】
プログラマブルデバイス内に直にロードすることができるコンピュータプログラムであって、該コンピュータプログラムは、該コンピュータプログラムがプログラマブルデバイスにおいて実行されるときに、請求項１〜６に記載の方法のステップを実施するための命令又はコードの一部を含む、プログラマブルデバイス内に直にロードすることができるコンピュータプログラム。
【発明の詳細な説明】
【技術分野】
【０００１】
本発明は包括的には、無線インターフェースを通じて基地局によって転送及び／又は受信される信号の送信電力を調整するための方法及び装置に関する。
【背景技術】
【０００２】
無線セルラー通信ネットワークは広く展開されているが、無線セルラー通信ネットワークの基地局によってカバーされないエリアが依然として存在する。
【０００３】
たとえば、基地局によって放射される信号が過度に減衰すると、建物の中に位置する移動端末は無線セルラー通信ネットワークにアクセスできない場合もある。
【０００４】
今日、複数の解決策が提案されている。ホーム基地局又はフェムト基地局のような特定の基地局が、建物内のサービスエリアを提供する。
【０００５】
ホーム基地局又はフェムト基地局が提供するサービスエリアは限られている。サービスエリアの縮小及びスペクトル効率の増加を繰り返すことが原因となって、セル間干渉が主な問題になっている。セル間干渉コーディネーション（ＩＣＩＣ）技法はセル間干渉の問題を解決することを目的とする。一般的に、移動端末は、隣接する基地局及び／又はホーム基地局から受けている干渉を、現時点でサービス提供を受けている基地局に報告する。効率的にＩＣＩＣを実施できるようにするために、基地局も互いにメッセージをやり取りする。
【０００６】
シャドーイング(shadowing)が生じない場合、干渉レベルは、基地局とホーム基地局とを隔てる距離に依存する。ダウンリンクチャネルでは、基地局とホーム基地局との距離が長いほど、基地局によってサービス提供されるとともに、ホーム基地局の近傍に位置する移動端末が強い干渉を受けるエリアが広くなる。アップリンクチャネルの場合、基地局とホーム基地局との間の距離が短いほど、ホーム基地局によってサービス提供される移動端末が、基地局によってサービス提供される移動端末に対して引き起こす干渉が大きくなる。
【０００７】
シャドーイングが生じる場合、干渉レベルは、ホーム基地局と基地局との間の距離に関連するだけではない。ダウンリンクチャネルでは、干渉は、ホーム基地局付近の移動端末と基地局付近の移動端末との間のシャドーイングにも依存する。アップリンクチャネルでは、干渉は、ホーム基地局によってサービス提供される移動端末と、基地局によってサービス提供される移動端末との間のシャドーイングにも依存する。
【０００８】
ホーム基地局は、限られた数の移動端末だけが、それぞれの資源を通じて無線セルラー通信ネットワークにアクセスすることを可能にすることができる。ホーム基地局を通じてネットワークの資源にアクセスすることを許される移動端末は、ホーム基地局の所有者によって、若しくはネットワークによって、又はその両方によって決定される場合がある。
【０００９】
ここで、所有者は包括的な意味において理解されなければならない。所有者は、ホーム基地局の主な使用者だけとしてもよく、ホーム基地局を賃借りする人としてもよく、又は自分の家若しくは事務所内にホーム基地局を収容している人としてもよい。
【００１０】
たとえば、ホーム基地局の所有者及びその家族の移動端末だけが、そのホーム基地局を通じて無線セルラー通信ネットワークにアクセスすることができる。これらの移動端末は、そのホーム基地局と関連付けられる。
【００１１】
基地局は、それぞれの資源を通じて多数の移動端末が無線セルラー通信ネットワークにアクセスすることを可能にする。基地局を通じてネットワークの資源にアクセスすることを許される移動端末は、無線セルラー通信ネットワークのオペレータによって決定される場合がある。
【００１２】
基地局のセルは通常、ホーム基地局のセルよりもはるかに大きい。
【先行技術文献】
【非特許文献】
【００１３】
【非特許文献１】HO L. T. W等著「Effects of User-Deployed, Co-Channel Femtocells on the Call Drop Probability in a Residential Scenario」（IEEE INTERNATIONAL SYMPOSIUM ON PERSONAL, INDOOR AND MOBILE RADIO COMMUNICATIONS, PIMRC, XX, XX, no. 18TH, 1 September 2007, pages 1-5, XP031168359）
【発明の概要】
【発明が解決しようとする課題】
【００１４】
上記の違いから、オペレータはおそらく、ホーム基地局を通るトラフィックよりも、基地局を通るトラフィックを優先させることを望む。したがって、基地局からの信号に対してホーム基地局によって引き起こされる干渉を最小限に抑えること、及び基地局によってサービス提供される移動端末からの信号に対して、ホーム基地局によってサービス提供される移動端末によって引き起こされる干渉を最小限に抑えることが優先されるべきである。
【００１５】
本発明は、ホーム基地局とそのホーム基地局によってサービス提供される移動端末との間で転送される信号が、基地局とその基地局によってサービス提供される移動端末との間で転送される信号と干渉するのを避けることを目的とする。
【課題を解決するための手段】
【００１６】
この目的のために、本発明は、第１の基地局によって転送及び／又は受信される信号の送信電力を調整するための方法であって、該第１の基地局のセルは第２の基地局のセルに少なくとも部分的に含まれ、該方法は、該第１の基地局によって実行されるステップであって、
第２の基地局のサービスエリアに関連し、且つ第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局との間の経路に関連する情報を入手するステップと、
情報から測定基準を計算するステップと、
第１の基地局によってサービス提供される少なくとも１つの移動端末に第１の基地局によって転送される信号の送信電力、及び／又は第１の基地局によってサービス提供される少なくとも１つの移動端末によって第１の基地局に転送される信号の送信電力を、計算された測定基準に従って調整するステップと
を含むことを特徴とする、方法に関する。
【００１７】
本発明はまた、第１の基地局によって転送及び／又は受信される信号の送信電力を調整するための装置であって、該第１の基地局のセルは第２の基地局のセルに少なくとも部分的に含まれ、該装置は、該第１の基地局に収容され、
第２の基地局のサービスエリアに関連し、且つ第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局との間の経路に関連する情報を入手する手段と、
情報から測定基準を計算する手段と、
第１の基地局によってサービス提供される少なくとも１つの移動端末に第１の基地局によって転送される信号の送信電力、及び／又は第１の基地局によってサービス提供される少なくとも１つの移動端末によって第１の基地局に転送される信号の送信電力を、計算された測定基準に従って調整する手段と
を備えることを特徴とする、装置に関する。
【００１８】
したがって、第２の基地局によって転送及び／又は受信される信号に対する第１の基地局によって転送及び／又は受信される信号のセル間干渉は、１つ又は複数のハンドオーバを実行する１つ又は複数の移動端末と第２の基地局との間の１つ又は複数の経路に従って、且つ第２の基地局のサービスエリアに従って、効率的に緩和される。得られる１つ又は複数の経路は、第１の基地局の付近に位置するとともに第２の基地局によってサービス提供される１つ又は複数の移動端末と第２の基地局との間の１つ若しくは複数の経路利得、又は１つ若しくは複数の経路距離に近似する。
【００１９】
この１つ又は複数の移動端末は、第１の基地局によって転送される信号が第２の基地局によってサービス提供される移動端末に強く干渉するエリア内に位置する。１つ又は複数の経路が、１つ若しくは複数の経路利得、又は１つ若しくは複数の経路距離であるとき、１つ若しくは複数の経路利得が低いほど、又は１つ若しくは複数の経路距離が長いほど、エリアが大きい。
【００２０】
得られる１つ又は複数の経路は、第１の基地局によってサービス提供される１つ又は複数の移動端末と第２の基地局との間の１つ若しくは複数の経路利得、又は１つ若しくは複数の経路距離にも近似する。
【００２１】
この１つ若しくは複数の経路利得、又は１つ若しくは複数の距離は、第１の基地局によってサービス提供される少なくとも１つの移動端末によって転送される信号によって、第２の基地局において引き起こされるアップリンク干渉のレベルに関連する。１つ又は複数の経路が、１つ若しくは複数の経路利得、又は１つ若しくは複数の経路距離であるとき、１つ若しくは複数の経路利得が高いほど、又は１つ若しくは複数の経路距離が短いほど、干渉が大きい。
【００２２】
特定の特徴によれば、第２の基地局のサービスエリアに関連し、且つ第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局の間の経路に関連する情報は、第１の基地局によって第２の基地局から受信され、
該情報は、１つ若しくは複数のハンドオーバが実行された１つ若しくは複数の移動端末と第２の基地局との間の経路、及び／又は第１の基地局と第２の基地局との間でハンドオーバが実施されなければならない移動端末と第２の基地局との間の経路に関連する情報を、第２の基地局のサービスエリアに関連する情報で除算したものである。
【００２３】
したがって、第２の基地局において第２の基地局のサービスエリアを容易に特定することができるときに、タスクは簡略化される。第２の基地局から第１の基地局へのハンドオーバが実施される場合には、その情報は、サービス継続を容易にするためにハンドオーバ過程中に送信されなければならない、移動端末のコンテキストとも呼ばれることがある移動端末についての他の情報と共に、第２の基地局から第１の基地局に送信されることができる。
【００２４】
特定の特徴によれば、第２の基地局のサービスエリアに関連し、且つ第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局との間の経路に関連する情報は、
第２の基地局から受信された情報であって、第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局との間の経路に関連する情報を、
第１の基地局によって求められた情報であって、第２の基地局のサービスエリアに関連する情報で除算することによって、
第１の基地局によって求められる。
【００２５】
したがって、第２の基地局は、第１の基地局において生じるセル間干渉コーディネーションプロセスの目的で、余分な計算を一切行う必要がない。
【００２６】
特定の特徴によれば、第２の基地局のサービスエリアに関連し、且つ第１の基地局と第２の基地局との間でハンドオーバが実施されたか又は実施されなければならない移動端末と第２の基地局との間の経路に関連する情報は、
移動端末から受信された情報であって、第１の基地局と第２の基地局との間でハンドオーバが実施されたか又は実施されなければならない移動端末と第２の基地局との間の経路に関連する情報を、
第１の基地局によって求められた情報であって、第２の基地局のサービスエリアに関連する情報で除算することによって、
第１の基地局によって求められる。
【００２７】
したがって、第１の基地局と第２の基地局との間の付加的なシグナリングは不要である。バックホール使用(the backhaul usage)は最小限に抑えられる。
【００２８】
第２の基地局から第１の基地局へのハンドオーバが実施される場合には、移動端末は、ハンドオーバ前にその情報を格納し、ハンドオーバが完了したときに、その情報を第１の基地局に送信することができる。
【００２９】
特定の特徴によれば、第２の基地局のサービスエリアに関連し、且つ第１の基地局と第２の基地局との間で１つ若しくは複数のハンドオーバが実施された１つ若しくは複数の移動端末と第２の基地局との間の１つ又は複数の経路、及び／又は第１の基地局と第２の基地局との間でハンドオーバが実施されなければならない移動端末と第２の基地局との間の経路に関連する情報は、
第１の基地局と第２の基地局との間で１つ若しくは複数のハンドオーバが実施された１つ若しくは複数の移動端末に向けられるデータの第２の基地局によるデータ伝送、若しくは該移動端末から向けられるデータの第２の基地局へのデータ伝送、及び／又はハンドオーバが実施されなければならない移動端末と第２の基地局との間の経路へのデータ伝送
に関する送信電力並びに／又は変調及び符号化方式から導出される。
【００３０】
したがって、第１の基地局は、送信電力並びに／又は変調及び符号化方式から、第１の基地局と第２の基地局との間で１つ若しくは複数のハンドオーバが実施された１つ若しくは複数の移動端末と第１の基地局との間の１つ若しくは複数の経路利得、及び／又は第１の基地局と第２の基地局との間でハンドオーバが実施されなければならない移動端末と第２の基地局との間の経路利得に関連する情報を抽出することができる。
【００３１】
実際には、１つ又は複数の送信電力が高いほど、且つ１つ又は複数の変調及び符号化方式のスペクトル効率が低いほど、経路利得が低くなる。送信及び受信アンテナパターン並びにシャドーイングも含む、全ての伝搬特性が１つの経路利得に含まれる。
【００３２】
特定の特徴によれば、第２の基地局のサービスエリアに関連し、且つ第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局との間の経路に関連する情報は、
第１の基地局と第２の基地局との間で１つ若しくは複数のハンドオーバが実施された１つ若しくは複数の移動端末と第２の基地局との間の１つ若しくは複数の往復遅延、及び／又は第１の基地局と第２の基地局との間でハンドオーバが実施されなければならない移動端末と第２の基地局との間の往復遅延から導出される。
【００３３】
したがって、第１の基地局は、往復遅延から、第１の基地局と第２の基地局との間で１つ若しくは複数のハンドオーバが実施された１つ若しくは複数の移動端末と第２の基地局との間の１つ若しくは複数の経路距離、及び／又は第１の基地局と第２の基地局との間でハンドオーバが実施されなければならない移動端末と第２の基地局との間の経路距離を非常に正確に求めることができる。
【００３４】
実際には、第２の基地局と１つの移動端末との間の往復遅延は、光の伝搬速度を用いて、第２の基地局とその移動端末との間の距離に直に結び付けられる。
【００３５】
往復遅延は通常、第２の基地局において求められ、タイミングアドバンスコマンドを介して各移動端末に送信される。タイミングアドバンス値は、往復遅延に等しいか又は極めて近い。
【００３６】
本発明は、一般的には別の目的のために第２の基地局によって転送されている情報を使用する。
【００３７】
本発明はまた、無線インターフェースを通じて第１の基地局によって転送及び／又は受信される信号の送信電力の調整を可能にする情報を転送するための方法であって、該第１の基地局のセルは第２の基地局のセルに少なくとも部分的に含まれ、該方法は、該第２の基地局によって実行されるステップであって、
第２の基地局のサービスエリアに関連し、且つ第１の基地局と第２の基地局との間で１つ若しくは複数のハンドオーバが実施された１つ若しくは複数の移動端末と第２の基地局との間の経路、及び／又は第１の基地局と第２の基地局との間でハンドオーバが実施されなければならない１つの移動端末と第２の基地局との間の経路に関連する情報を入手するステップと、
情報を第１の基地局に転送するステップと
を含むことを特徴とする、方法に関する。
【００３８】
本発明はまた、無線インターフェースを通じて第１の基地局によって転送及び／又は受信される信号の送信電力の調整を可能にする情報を転送するための装置であって、該第１の基地局のセルは第２の基地局のセルに少なくとも部分的に含まれ、該装置は該第２の基地局に収容され、該装置は、
第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間でハンドオーバが実施されなければならない移動端末と第２の基地局との間の経路に関連し、且つ第２の基地局のサービスエリアに関連する情報を入手する手段と、
情報を第１の基地局に転送する手段と
を備えることを特徴とする、装置に関する。
【００３９】
したがって、第２の基地局のサービスエリアを第２の基地局において容易に特定することができるときに、タスクは簡略化される。第２の基地局から第１の基地局へのハンドオーバが実施される場合には、その情報は、サービス継続を容易にするためにハンドオーバ過程中に送信されなければならない、移動端末のコンテキストとも呼ばれることもある１つの移動端末についての他の情報と共に、第２の基地局から第１の基地局に送信されることができる。
【００４０】
本発明はまた、無線インターフェースを通じて第１の基地局によって転送及び／又は受信される信号の送信電力の調整を可能にする情報を転送するための方法であって、該第１の基地局のセルは第２の基地局のセルに少なくとも部分的に含まれ、該方法は、該第１の基地局と該第２の基地局との間でハンドオーバが実施されたか又は実施されなければならない移動端末によって実行されるステップであって、
第２の基地局と移動端末との間の経路に関連する情報を入手するステップと、
情報を第１の基地局に転送するステップと
を含むことを特徴とする、方法に関する。
【００４１】
本発明はまた、無線インターフェースを通じて第１の基地局によって転送及び／又は受信される信号の送信電力の調整を可能にする情報を転送するための装置であって、該第１の基地局のセルは第２の基地局のセルに少なくとも部分的に含まれ、該装置は、該第１の基地局と該第２の基地局との間でハンドオーバが実施されたか又は実施されなければならない移動端末に収容され、該装置は、
第２の基地局と移動端末との間の経路に関連する情報を入手する手段と、
情報を第１の基地局に転送する手段と
を備えることを特徴とする、装置に関する。
【００４２】
したがって、第１の基地局と第２の基地局との間の付加的なシグナリングは不要である。バックホール使用は最小限に抑えられる。第２の基地局から第１の基地局へのハンドオーバが実施される場合には、移動端末は、ハンドオーバ前にその情報を格納し、ハンドオーバが完了したときに、その情報を第１の基地局に送信することができる。
【００４３】
さらに別の態様によれば、本発明は、プログラマブルデバイスに直にロード可能とすることができるコンピュータプログラムに関し、それらのコンピュータプログラムは、プログラマブルデバイスにおいて実行されるときに、本発明による方法のステップを実施するための命令又はコードの一部を含む。
【００４４】
そのコンピュータプログラムに関連する特徴及び利点は、本発明による方法及び装置に関連して上記で述べられたものと同じであるので、ここでは繰り返されないであろう。
【００４５】
本発明の特徴は、一例の実施形態に関する以下の説明を読むことによってさらに明らかになる。その説明を、添付の図面を参照しながら示す。
【図面の簡単な説明】
【００４６】
【図１】本発明が実施される無線セルラー通信ネットワークを表す図である。
【図２】本発明が実施されるホーム基地局の構成を表す図である。
【図３】本発明が実施される基地局の構成を表す図である。
【図４】本発明が実施される移動端末の構成を表す図である。
【図５】本発明の第１の実現形態による、基地局によって実行されるアルゴリズムの一例を開示する図である。
【図６】本発明の第１の実現形態による、ホーム基地局によって実行されるアルゴリズムの一例を開示する図である。
【図７】本発明の第２の実現形態による、移動端末によって実行されるアルゴリズムの一例を開示する図である。
【図８】本発明の第２の実現形態による、ホーム基地局によって実行されるアルゴリズムの一例を開示する図である。
【発明を実施するための形態】
【００４７】
図１は、本発明が実施される無線セルラー通信ネットワークを表す。
【００４８】
図１において、無線セルラー通信ネットワークの２つの基地局ＢＳ及びＨＢＳ、並びに３つの移動端末ＭＴ１、ＭＴ２及びＭＴ３が示される。
【００４９】
２つの基地局ＢＳ及びＨＢＳ並びに３つの移動端末ＭＴ１、ＭＴ２及びＭＴ３だけが示されるが、さらに多くの数の基地局ＢＳ及び／若しくはＨＢＳ、且つ／又はさらに多くの数の移動端末ＭＴが存在するときに本発明が機能することを理解することができる。
【００５０】
より詳細には、本発明は、基地局ＨＢＳのセルが複数の基地局ＢＳのセル内に少なくとも部分的に含まれる場合にも適合する。
【００５１】
基地局ＢＳは、たとえば、無線セルラー通信ネットワークのマクロ基地局であり、基地局ＨＢＳは、たとえば、フェムト基地局又はピコ基地局とも呼ばれるホーム基地局である。
【００５２】
ホーム基地局ＨＢＳは、たとえば、家にあり、ホーム基地局ＨＢＳに関連付けられる移動端末ＭＴが無線セルラー通信ネットワークにアクセスすることを可能にすることができる。
【００５３】
ホーム基地局ＨＢＳは、基地局ＢＳのセル内に位置する場合も、位置しない場合もあるが、ホーム基地局ＨＢＳのセルＡＲ２は、基地局ＢＳのセルＡＲ１に少なくとも部分的に含まれる。
【００５４】
たとえば、移動端末ＭＴ１及びＭＴ３は、基地局ＢＳによってサービス提供されており、それぞれの矢印Ｄ１及びＤ３によって示されるそれぞれの方向に動いている。移動端末ＭＴ１及びＭＴ３がホーム基地局ＨＢＳを通じてネットワークの資源にアクセスすることを許される場合には、移動端末ＭＴ１及びＭＴ３がエリアＡＲ２に入るときに、移動端末ＭＴ１及びＭＴ３に対して、基地局ＢＳからホーム基地局ＨＢＳへのハンドオーバが実行されなくてはならない。
【００５５】
移動端末ＭＴ２は、ホーム基地局ＨＢＳによってサービス提供されており、矢印Ｄ２によって示される方向に動いている。移動端末ＭＴ２がエリアＡＲ２を出るとき、移動端末ＭＴ２に対して、ホーム基地局ＨＢＳから基地局ＢＳへのハンドオーバが実行されなくてはならない。
【００５６】
移動端末ＭＴ１〜ＭＴ３が基地局ＢＳ又はホーム基地局ＨＢＳによってサービス提供されるとき、その移動端末は、遠隔通信装置との通信を受信するか、又は確立するか、又は継続することができる。
【００５７】
基地局ＢＳは、エリアＡＲ１内に位置する移動端末ＭＴによって転送される信号を受信することができる。基地局ＢＳは、エリアＡＲ１内に位置する移動端末ＭＴが受信し、処理することができる信号を転送する。エリアＡＲ１は、基地局ＢＳのサービスエリア又はセルである。
【００５８】
ホーム基地局ＨＢＳは、エリアＡＲ２内に位置する移動端末ＭＴが受信し、処理することができる信号を転送する。
【００５９】
エリアＡＲ２は、ホーム基地局ＨＢＳのサービスエリア又はセルであり、エリアＡＲ１に少なくとも部分的に含まれる。
【００６０】
移動端末ＭＴ２はエリアＡＲ１及びＡＲ２内に位置する。
【００６１】
移動端末ＭＴ１及びＭＴ３はエリアＡＲ１内に位置する。
【００６２】
Ｐ１で示される矢印は、基地局ＢＳと移動端末ＭＴ１との間の無線経路を表す。Ｐ２で示される矢印は、基地局ＢＳと移動端末ＭＴ２との間の無線経路を表す。Ｐ３で示される矢印は、基地局ＢＳと移動端末ＭＴ３との間の無線経路を表す。
【００６３】
リンクＸ１２は、基地局ＢＳとホーム基地局ＨＢＳとの間の通信ネットワーク上で確立される有線リンクを表す。
【００６４】
本発明によれば、第２の基地局のサービスエリアに関連し、且つ第１の基地局と第２の基地局との間で１つ若しくは複数のハンドオーバが実施された１つ若しくは複数の移動端末と第２の基地局との間の１つ若しくは複数の経路、及び／又は第１の基地局と第２の基地局との間のハンドオーバが実施されなければならない移動端末と第２の基地局の間の経路に関連する情報が得られ、
該情報から測定基準(a metric)が計算され、さらに
第１の基地局によってサービス提供される少なくとも１つの移動端末に第１の基地局によって転送される信号の送信電力、及び／又は第１の基地局によってサービス提供される少なくとも１つの移動端末によって第１の基地局に転送される信号の送信電力が、計算された測定基準に従って調整される。
【００６５】
図２は、本発明が実施されるホーム基地局の構成を表す図である。
【００６６】
ホーム基地局ＨＢＳは、たとえば、バス２０１によって互いに接続される構成要素、及び図６又は図８において開示されるようなプログラムによって制御されるプロセッサ２００からなる構成を有する。
【００６７】
バス２０１は、プロセッサ２００を、読出し専用メモリＲＯＭ２０２、ランダムアクセスメモリＲＡＭ２０３、無線インターフェース２０５及びネットワークインターフェース２０６にリンクする。
【００６８】
メモリ２０３は、変数、及び図６又は図８において開示されるようなアルゴリズムに関連するプログラムの命令を受信するように意図されるレジスタを含む。
【００６９】
プロセッサ２００は、ネットワークインターフェース２０６の動作及び無線インターフェース２０５の動作を制御する。
【００７０】
読出し専用メモリ２０２は、図６又は図８において開示されるようなアルゴリズムに関連するプログラムの命令を含み、それらの命令は、ホーム基地局ＨＢＳが起動されるときに、ランダムアクセスメモリ２０３に転送される。
【００７１】
ホーム基地局ＨＢＳは、ネットワークインターフェース２０６を通じて通信ネットワークに接続されることができる。たとえば、ネットワークインターフェース２０６はＤＳＬ（デジタル加入者線）モデム、又はＩＳＤＮ（統合サービスデジタル網）インターフェース等である。ネットワークインターフェース２０６を通じて、ホーム基地局ＨＢＳは、基地局ＢＳにメッセージを転送することができる。
【００７２】
無線インターフェース２０５及びネットワークインターフェース２０６は、移動端末ＭＴが遠隔通信装置との通信を確立するか又は受信するときに、無線セルラー通信ネットワークにアクセスするために移動端末ＭＴによって用いられる、ホーム基地局の資源である。
【００７３】
無線インターフェース２０５は、ホーム基地局ＨＢＳによって転送される信号の送信電力、及び／又はホーム基地局ＨＢＳによってサービス提供される移動端末によってホーム基地局ＨＢＳに転送される信号の送信電力を、セル間干渉コーディネーション（ＩＣＩＣ）手順に従って調整する手段を備える。
【００７４】
図３は、本発明が実施される基地局の構成を表す図である。
【００７５】
基地局ＢＳは、たとえば、バス３０１によって互いに接続される構成要素、及び図５において開示されるようなプログラムによって制御されるプロセッサ３００からなる構成を有する。
【００７６】
バス３０１は、プロセッサ３００を、読出し専用メモリＲＯＭ３０２、ランダムアクセスメモリＲＡＭ３０３、無線インターフェース３０５及びネットワークインターフェース３０６にリンクする。
【００７７】
メモリ３０３は、変数、及び図５において開示されるようなアルゴリズムに関連するプログラムの命令を受信するように意図されるレジスタを含む。
【００７８】
プロセッサ３００は、ネットワークインターフェース３０６の動作及び無線インターフェース３０５の動作を制御する。
【００７９】
読出し専用メモリ３０２は、図５において開示されるようなアルゴリズムに関連するプログラムの命令を含み、それらの命令は、基地局ＢＳが起動されるときに、ランダムアクセスメモリ３０３に転送される。
【００８０】
基地局ＢＳは、ネットワークインターフェース３０６を通じて通信ネットワークに接続される場合がある。たとえば、ネットワークインターフェース３０６は、ＤＳＬモデム又はＩＳＤＮインターフェース等である。ネットワークインターフェース３０６を通じて、基地局ＢＳは、ホーム基地局ＨＢＳにメッセージを転送することができる。
【００８１】
無線インターフェース３０５及びネットワークインターフェース３０６は、移動端末ＭＴが遠隔通信装置との通信を確立又は受信するときに、無線セルラー通信ネットワークにアクセスするために移動端末ＭＴによって用いられる基地局ＢＳの資源である。
【００８２】
図４は、本発明が実施される移動端末の構成を表す図である。
【００８３】
移動端末ＭＴは、たとえば、バス４０１によって互いに接続される構成要素、及び図７において開示されるようなプログラムによって制御されるプロセッサ４００からなる構成を有する。
【００８４】
バス４０１は、プロセッサ４００を、読出し専用メモリＲＯＭ４０２、ランダムアクセスメモリＲＡＭ４０３及び無線インターフェース４０５にリンクする。
【００８５】
メモリ４０３は、変数、及び図７において開示されるようなアルゴリズムに関連するプログラムの命令を受信するように意図されるレジスタを含む。
【００８６】
プロセッサ４００は、無線インターフェース４０５の動作を制御する。
【００８７】
読出し専用メモリ４０２は、図７において開示されるようなアルゴリズムに関連するプログラムの命令を含み、それらの命令は、移動端末ＭＴが起動されるときに、ランダムアクセスメモリ４０３に転送される。
【００８８】
無線インターフェース４０５は、セル間干渉コーディネーション（ＩＣＩＣ）手順に従って信号の送信電力を制御する手段を備える。
【００８９】
図５は、本発明の第１の実現形態による、基地局によって実行されるアルゴリズムの一例を開示する。
【００９０】
より正確には、本アルゴリズムは基地局ＢＳのプロセッサ３００によって実行される。
【００９１】
簡単にするために、１つの移動端末に対してハンドオーバが実行される必要があるときの本アルゴリズムが開示されることになる。本発明は、遠隔通信装置との進行中の通信を継続するために、複数の移動端末に対してハンドオーバが実行される必要があるときにも適用することができる。
【００９２】
その場合、本アルゴリズムは、ハンドオーバが実行される必要がある移動端末ＭＴ毎に実行される。
【００９３】
ステップＳ５００において、プロセッサ３００は、遠隔通信装置との進行中の通信を継続するために、移動端末ＭＴに対してハンドオーバが実行される必要があるか否かを調べる。進行中の通信のハンドオーバは、基地局ＢＳからホーム基地局ＨＢＳに実行されることができるか、又はホーム基地局ＨＢＳから基地局ＢＳに実行されることができる。
【００９４】
遠隔通信装置との進行中の通信を継続するために、移動端末ＭＴに対してハンドオーバが実行される必要がある場合には、プロセッサ３００はステップＳ５０１に進む。そうでない場合には、プロセッサ３００はステップＳ５００に戻る。
【００９５】
ステップＳ５０１において、プロセッサ３００は、基地局ＢＳからホーム基地局ＨＢＳへの進行中の通信のハンドオーバが実行されなければならないか否かを調べる。
【００９６】
基地局ＢＳからホーム基地局ＨＢＳへの進行中の通信のハンドオーバが実行されなければならない場合には、プロセッサ３００はステップＳ５０２に進む。
【００９７】
ホーム基地局ＨＢＳから基地局ＢＳへの進行中の通信のハンドオーバが実行されなければならない場合には、プロセッサ３００はステップＳ５０３に進む。
【００９８】
ステップＳ５０２において、プロセッサ３００は、ホーム基地局ＨＢＳと基地局ＢＳとの間で１つ若しくは複数のハンドオーバが実施された１つ若しくは複数の移動端末ＭＴと基地局ＢＳとの間の１つ若しくは複数の経路、及び／又はホーム基地局ＨＢＳと基地局ＢＳとの間でハンドオーバが実施されなければならない移動端末と基地局ＢＳとの間の経路に関連する情報を入手する。
【００９９】
ホーム基地局ＨＢＳと基地局ＢＳとの間でハンドオーバが実施されなければならない移動端末ＭＴと基地局ＢＳとの間の経路に関連する情報は、移動端末ＭＴが基地局ＢＳに送信すべきである信号に適用されなければならない、移動端末ＭＴと基地局ＢＳとの間の往復遅延を表すタイミングアドバンス情報とすることができる。
【０１００】
タイミングアドバンス情報は、移動端末ＭＴと基地局ＢＳとの間の経路を表し、より厳密には、移動端末ＭＴと基地局ＢＳとの間の距離を表す。
【０１０１】
移動端末ＭＴがホーム基地局ＨＢＳのセルの境界付近に位置するとき、タイミングアドバンス情報は、ホーム基地局ＢＳと基地局ＢＳとの間の経路を表す。
【０１０２】
ホーム基地局ＨＢＳと基地局ＢＳとの間でハンドオーバが実施されなければならない移動端末ＭＴと基地局ＢＳとの間の経路に関連する情報は、移動端末ＭＴと基地局ＢＳとの間の往復遅延を表すタイミングアドバンス情報を、基地局ＢＳのサービスエリアに対応する最大往復遅延を表すタイミングアドバンス情報で除算したものとすることができる。
【０１０３】
移動端末ＭＴがホーム基地局ＨＢＳのセルの境界付近に位置するとき、タイミングアドバンス情報は、ホーム基地局ＨＢＳと基地局ＢＳとの間の往復遅延を、基地局ＢＳのサービスエリアに対応する最大往復遅延を表すタイミングアドバンス情報で除算したものを表すことができる。
【０１０４】
ホーム基地局ＨＢＳ間で１つ若しくは複数のハンドオーバが実施された１つ若しくは複数の移動端末ＭＴと基地局ＢＳとの間の経路、及び／又はホーム基地局ＨＢＳと基地局ＢＳとの間でハンドオーバが実施されなければならない移動端末と基地局ＢＳとの間の経路に関連する情報は、基地局ＢＳとホーム基地局ＨＢＳとの間でハンドオーバを実施する移動端末ＭＴと基地局ＢＳとの間の往復遅延を表すタイミングアドバンス情報の平均とすることができる。
【０１０５】
ホーム基地局ＨＢＳ間で１つ若しくは複数のハンドオーバが実施された１つ若しくは複数の移動端末ＭＴと基地局ＢＳとの間の経路、及び／又はホーム基地局ＨＢＳと基地局ＢＳとの間でハンドオーバが実施されなければならない移動端末と基地局ＢＳとの間の経路に関連する情報は、基地局ＢＳとホーム基地局ＨＢＳとの間でハンドオーバを実施する移動端末ＭＴと基地局ＢＳとの間の往復遅延を表すタイミングアドバンス情報の平均を、基地局ＢＳのサービスエリアに対応する最大往復遅延を表すタイミングアドバンス情報で除算したものとすることができる。
【０１０６】
ホーム基地局ＨＢＳと基地局ＢＳとの間でハンドオーバが実施されなければならない移動端末ＭＴと基地局ＢＳとの間の経路に関連する情報は、移動端末ＭＴに向けられるデータ伝送若しくは移動端末ＭＴからのデータ伝送に関する、ダウンリンク及び／若しくはアップリンク送信電力、並びに／又は変調及び符号化方式（ＭＣＳ）から推定される、基地局ＢＳと移動端末ＭＴとの間の経路利得とすることができる。
【０１０７】
移動端末ＭＴがホーム基地局ＨＢＳのセルＡＲ２の境界付近に位置するとき、ダウンリンク及び／若しくはアップリンク送信電力、並びに／又は変調及び符号化方式は、ホーム基地局ＨＢＳと基地局ＢＳとの間の経路利得を表すことができる。
【０１０８】
ホーム基地局ＨＢＳと基地局ＢＳとの間でハンドオーバが実施されなければならない移動端末ＭＴと基地局ＢＳとの間の経路に関連する情報は、移動端末ＭＴに向けられるデータ伝送若しくは移動端末ＭＴからのデータ伝送に関する、ダウンリンク及び／若しくはアップリンク送信電力、並びに／又はＭＣＳから推定される、基地局ＢＳと移動端末ＭＴとの間の経路利得を、基地局ＢＳのセル内の最悪の経路利得で除算したものとすることができる。
【０１０９】
ホーム基地局ＨＢＳと基地局ＢＳとの間でハンドオーバが実施されなければならない移動端末ＭＴと基地局ＢＳとの間の経路に関連する情報は、基地局ＢＳとホーム基地局ＨＢＳとの間でハンドオーバを実施する移動端末ＭＴと基地局ＢＳとの間の経路利得の平均とすることができる。
【０１１０】
移動端末ＭＴがホーム基地局ＨＢＳのセルの境界付近に位置するとき、経路利得の平均は、ホーム基地局ＨＢＳと基地局ＢＳとの間の経路利得を表すことができる。
【０１１１】
情報が平均であるとき、その情報は、特定の事象の影響を受けにくい。
【０１１２】
ホーム基地局ＨＢＳと基地局ＢＳとの間でハンドオーバが実施された１つ又は複数の移動端末ＭＴと基地局ＢＳとの間の経路に関連する情報は、基地局ＢＳとホーム基地局ＨＢＳとの間でハンドオーバを実施する移動端末ＭＴと基地局ＢＳとの間の経路利得の平均を、基地局ＢＳのセル内の最悪の経路利得で除算したものとすることができる。
【０１１３】
ハンドオーバが実行されなければならない１つ又は複数の移動端末ＭＴに関連する情報は、上記の情報の任意の組み合わせとすることができる。
【０１１４】
上記の情報が得られると、プロセッサ３００は、基地局ＢＳとホーム基地局ＨＢＳとの間のハンドオーバの実行を命令する。
【０１１５】
次のステップＳ５０４において、プロセッサ３００は、以前に得られた情報を、ネットワークインターフェース３０６を通じて転送するように命令する。
【０１１６】
その後、プロセッサ３００はステップＳ５００に戻る。
【０１１７】
ステップＳ５０３において、プロセッサ３００は、ホーム基地局ＨＢＳと基地局ＢＳとの間の１つ又は複数のハンドオーバの実行を命令する。
【０１１８】
１つ又は複数のハンドオーバが完了すると、プロセッサ３００は、ハンドオーバが実行された移動端末ＭＴ毎に、基地局ＢＳと移動端末ＭＴとの間の経路に関連する情報を入手する。
【０１１９】
１つ又は複数の移動端末ＭＴと基地局ＢＳとの間の経路に関連する情報は、ステップＳ５０２において開示される情報と同じである。
【０１２０】
その後、プロセッサ３００は、既に開示されているステップＳ５０４に進む。
【０１２１】
図６は、本発明の第１の実現形態による、ホーム基地局によって実行されるアルゴリズムの一例を開示する。
【０１２２】
簡単にするために、１つの移動端末に対してハンドオーバが実行される必要があるときの本アルゴリズムを開示する。また、本発明は、遠隔通信装置との進行中の通信を継続するために、複数の移動端末に対してハンドオーバが実行される必要があるときにも適用することができる。
【０１２３】
その場合、本アルゴリズムは、ハンドオーバが実行される必要がある移動端末ＭＴ毎に実行される。
【０１２４】
より厳密には、本アルゴリズムは、ホーム基地局ＢＳのプロセッサ２００によって実行される。
【０１２５】
ステップ６００において、プロセッサ２００は、遠隔通信装置との進行中の通信を継続するために、移動端末ＭＴに対してハンドオーバが実行される必要があるか否かを調べる。基地局ＢＳからホーム基地局ＨＢＳへの進行中の通信のハンドオーバが実行される場合があるか、又はホーム基地局ＨＢＳから基地局ＢＳへのハンドオーバが実行される場合がある。
【０１２６】
遠隔通信装置との進行中の通信を継続するために、移動端末ＭＴに対してハンドオーバが実行される必要がある場合には、プロセッサ２００はステップＳ６０１に進む。そうでない場合には、プロセッサ２００はステップＳ６００に戻る。
【０１２７】
ステップＳ６０１において、プロセッサ２００は、基地局ＢＳからホーム基地局ＨＢＳへの進行中の通信のハンドオーバが実行されなければならないか否かを調べる。
【０１２８】
基地局ＢＳからホーム基地局ＨＢＳへの進行中の通信のハンドオーバが実行されなければならない場合には、プロセッサ２００はステップＳ６０２に進む。
【０１２９】
ホーム基地局ＨＢＳから基地局ＢＳへの進行中の通信のハンドオーバが実行されなければならない場合には、プロセッサ２００はステップＳ６０３に進む。
【０１３０】
ステップＳ６０２において、プロセッサ２００は、ネットワークインターフェース２０６を通じて、ホーム基地局ＨＢＳと基地局ＢＳとの間のハンドオーバが実施された１つ若しくは複数の移動端末ＭＴと基地局ＢＳとの間の１つ若しくは複数の経路、及び／又はホーム基地局ＨＢＳと基地局ＢＳとの間でハンドオーバが実施されなければならない移動端末と基地局ＢＳとの間の経路に関連する情報を入手する。
【０１３１】
これらの情報は、１つ又は複数のハンドオーバが完了する前に、移動端末のコンテキストとも呼ばれる、１つ又は複数の移動端末ＭＴに関する他の情報と共に受信することができる。しかしながら、本発明は、ハンドオーバ手順が完了した後にこの情報が受信されるときにも適用することができる。
【０１３２】
ホーム基地局ＨＢＳと基地局ＢＳとの間で１つ若しくは複数のハンドオーバが実施された１つ若しくは複数の移動端末ＭＴと基地局ＢＳとの間の１つ若しくは複数の経路、及び／又はホーム基地局ＨＢＳと基地局ＢＳとの間でハンドオーバが実施されなければならない移動端末ＭＴと基地局ＢＳとの間の経路に関連する情報は、基地局ＢＳから少なくとも部分的に受信される。該情報は、図５のステップＳ５０４において転送される情報と同じである。
【０１３３】
ホーム基地局ＨＢＳと基地局ＢＳとの間でハンドオーバが実施されなければならない移動端末ＭＴと基地局ＢＳとの間の経路に関連する情報がタイミングアドバンス情報である場合には、プロセッサ２００はさらに、基地局ＢＳのサービスエリアを入手し、そのタイミングアドバンス情報を、基地局ＢＳの最大サービスエリアに対応するタイミングアドバンス情報で除算する。
【０１３４】
基地局ＢＳの最大サービスエリアに対応するタイミングアドバンス情報は、基地局ＢＳによって転送され、ネットワークインターフェース２０６を通じて受信される場合があるか、又はプロセッサ２００によって求められる場合がある。
【０１３５】
そのために、プロセッサ２００は、移動端末ＭＴによって転送されるＲＡＣＨメッセージ（物理ランダムアクセスチャネル上のランダムアクセスメッセージ）に応答して、基地局ＢＳによって移動端末ＭＴに転送されるＲＡＣＨ応答を探索するように無線インターフェース２０５に命令する。
【０１３６】
無線インターフェース２０５は、移動端末ＭＴに向けられるランダムアクセス応答を検出するために、基地局ＢＳによって転送されるダウンリンク信号を走査する。たとえば、ランダムアクセス手順がＴＵＥＩＤに基づく場合には、ＴＵＥＩＤの数は限られるので、そのような走査は比較的簡単である。
【０１３７】
ＴＵＥＩＤは、ランダムアクセス手順を実行するために、限られた数の既知の識別子の中から移動端末ＭＴによってランダムに選び出される一時識別子である。この一時識別子は、ランダムアクセス識別子、又はランダムアクセス無線ネットワーク一時識別子（ＲＡ−ＲＮＴＩ）と呼ばれる場合もある。
【０１３８】
ＴＵＥＩＤは、ランダムアクセス競合が生じる可能性が解消され、基地局ＢＳによって有効なＵＥＩＤが決定されるまで用いられる。
【０１３９】
ＲＡＣＨ応答に含まれる情報は、移動端末がセルＡＲ１の限界又は境界に位置する場合には、基地局ＢＳと移動端末ＭＴとの間の最大距離を表すことができる。
【０１４０】
検出されたランダムアクセス応答の数が十分に多いとき、プロセッサ２００は、最大距離に対応する値、すなわち、基地局ＢＳのサービスエリアに対応し得る値を取る。
【０１４１】
ホーム基地局ＨＢＳと基地局ＢＳとの間でハンドオーバが実施された複数の移動端末ＭＴと基地局ＢＳとの間の経路に関連する情報が、基地局ＢＳとホーム基地局ＨＢＳとの間でハンドオーバを実施する移動端末ＭＴと基地局ＢＳとの間の往復遅延を表すタイミングアドバンス情報の平均である場合には、
プロセッサ２００はさらに、基地局ＢＳのサービスエリアを入手し、平均タイミングアドバンス情報を、基地局ＢＳの最大サービスエリアに対応するタイミングアドバンス情報で除算する。
【０１４２】
基地局ＢＳの最大サービスエリアに対応するタイミングアドバンス情報は、基地局ＢＳによって転送され、ネットワークインターフェース２０６を通じて受信される場合があるか、又は上記で開示されたようにプロセッサ２００によって求められる場合がある。
【０１４３】
ホーム基地局ＨＢＳと基地局ＢＳとの間でハンドオーバが実施されなければならない移動端末ＭＴと基地局ＢＳとの間の経路に関連する情報が、移動端末ＭＴに向けられるデータ伝送若しくは移動端末ＭＴからのデータ伝送に関する、ダウンリンク及び／若しくはアップリンク送信電力、並びに／又は変調及び符号化方式（ＭＣＳ）から推定される、基地局ＢＳと移動端末ＭＴとの間の経路利得である場合には、
プロセッサ２００はさらに、基地局ＢＳのサービスエリアに対応する経路利得、すなわち、基地局ＢＳのサービスエリアにおける最小経路利得を入手し、移動端末ＭＴに関する経路利得を、基地局ＢＳのサービスエリアに対応する経路利得で除算する。
【０１４４】
基地局ＢＳのサービスエリアに対応する経路利得は、基地局ＢＳによって転送され、ネットワークインターフェース２０６を通じて受信される場合があるか、又はプロセッサ２００によって求められる場合がある。
【０１４５】
無線インターフェース２０５は、移動端末ＭＴに向けられるランダムアクセス応答を検出するために、基地局ＢＳによって転送されるダウンリンク信号を走査する。
【０１４６】
ランダムアクセス応答は、移動端末ＭＴに向けられるデータ伝送若しくは移動端末ＭＴからのデータ伝送に関する、ダウンリンク及び／若しくはアップリンク送信電力、並びに／又は変調及び符号化方式を含む場合がある。
【０１４７】
ホーム基地局ＨＢＳと基地局ＢＳとの間でハンドオーバが実施された複数の移動端末ＭＴと基地局ＢＳとの間の経路に関連する情報が、基地局ＢＳとホーム基地局ＨＢＳとの間でハンドオーバを実施する移動端末ＭＴと基地局ＢＳとの間の経路利得の平均である場合には、プロセッサ２００はさらに、基地局ＢＳのサービスエリアに対応する経路利得を入手し、平均経路利得情報を、基地局ＢＳのサービスエリアに対応する経路利得で除算する。
基地局ＢＳのサービスエリアに対応する経路利得は、基地局ＢＳによって転送され、ネットワークインターフェース２０６を通じて受信される場合があるか、又は上記で開示されたようにプロセッサ２００によって求められる場合がある。
【０１４８】
ハンドオーバが実行されなければならない移動端末ＭＴに関連する情報は、上記の情報の任意の組み合わせとすることができる。
【０１４９】
上記の情報が得られると、プロセッサ２００は、その情報をＲＡＭメモリ２０３に記憶し、ホーム基地局ＨＢＳと基地局ＢＳとの間のハンドオーバの実行を命令する。
【０１５０】
次のステップＳ６０４において、プロセッサ２００は、以前に記憶された情報から平均値を求める。
【０１５１】
次のステップＳ６０５において、プロセッサ２００は、ステップＳ８０４における平均値を用いて、少なくとも１つの送信電力を求める。プロセッサ２００は、ホーム基地局ＨＢＳ送信電力に対して制限を加え、且つ／又はホーム基地局ＨＢＳがサービス提供する全ての移動端末ＭＴの送信電力に対して制限を加える。その制限は全送信電力に加えることができるが、全送信電力が限られた周波数資源に過度に集中するのを避けるために、Ｈｚ毎に行なうこともできる。ホーム基地局ＨＢＳがサービス提供する移動端末ＭＴは、最大送信電力が所与の値に制限されることを通知される。
【０１５２】
その後、プロセッサ２００はステップＳ６００に戻る。
【０１５３】
ステップＳ６０３において、プロセッサ２００は、ホーム基地局ＨＢＳと基地局ＢＳとの間のハンドオーバの実行を命令する。
【０１５４】
ハンドオーバが実行されると、プロセッサ２００は、ネットワークインターフェース２０６を通じて、１つ又は複数のハンドオーバが実行された１つ又は複数の移動端末ＭＴに関連する情報を入手する。
【０１５５】
ホーム基地局ＨＢＳと基地局ＢＳとの間で１つ又は複数のハンドオーバが実施された１つ又は複数の移動端末ＭＴと基地局ＢＳとの間の１つ又は複数の経路に関連する情報は、基地局ＢＳから少なくとも部分的に受信される。該情報は、図６のステップＳ６０２において開示される情報と同じである。
【０１５６】
プロセッサ２００は、図６のステップＳ６０２において開示されるのと同じようにして、ネットワークインターフェース２０６を通じて、ホーム基地局ＨＢＳと基地局ＢＳとの間で１つ又は複数のハンドオーバが実施された１つ又は複数の移動端末ＭＴと基地局ＢＳとの間の１つ又は複数の経路に関連する情報を入手する。
【０１５７】
その後、プロセッサ２００は既に開示されているステップＳ６０４に進む。
【０１５８】
図７は、本発明の第２の実現形態による、移動端末によって実行されるアルゴリズムの一例を開示する。
【０１５９】
より厳密には、本アルゴリズムは、移動端末ＭＴのプロセッサ４００によって実行される。
【０１６０】
ステップＳ７００において、プロセッサ４００は、遠隔通信装置との進行中の通信を継続するために、移動端末のためにハンドオーバが実行される必要があるか否かを調べる。基地局ＢＳからホーム基地局ＨＢＳへの進行中の通信のハンドオーバが実行される場合があるか、又はホーム基地局ＨＢＳから基地局ＢＳへのハンドオーバが実行される場合がある。
【０１６１】
遠隔通信装置との進行中の通信を継続するために、移動端末ＭＴに対してハンドオーバが実行される必要がある場合には、プロセッサ４００はステップＳ７０１に進む。そうでない場合には、プロセッサ４００はステップＳ７００に戻る。
【０１６２】
ステップＳ７０１において、プロセッサ４００は、基地局ＢＳからホーム基地局ＨＢＳへの進行中の通信のハンドオーバが実行されなければならないか否かを調べる。
【０１６３】
基地局ＢＳからホーム基地局ＨＢＳへの進行中の通信のハンドオーバが実行されなければならない場合には、プロセッサ４００はステップＳ７０２に進む。
【０１６４】
ホーム基地局ＨＢＳから基地局ＢＳへの進行中の通信のハンドオーバが実行されなければならない場合には、プロセッサ４００はステップＳ７０６に進む。
【０１６５】
ステップＳ７０２において、プロセッサ４００は、基地局ＢＳと移動端末ＭＴとの間の経路に関連する情報を入手する。
【０１６６】
基地局ＢＳと移動端末ＭＴとの間の経路に関連する情報は、移動端末ＭＴが基地局ＢＳに送信すべきである信号に適用されなければならない、移動端末ＭＴと基地局ＢＳとの間の往復遅延を表すタイミングアドバンス情報とすることができる。
【０１６７】
タイミングアドバンス情報は、移動端末ＭＴと基地局ＢＳとを隔てる距離を表す。
【０１６８】
移動端末ＭＴがホーム基地局ＨＢＳのセルＡＲ２の境界付近に位置するとき、タイミングアドバンス情報は、ホーム基地局ＨＢＳと基地局ＢＳとの間の経路を表す。
【０１６９】
基地局ＢＳと移動端末ＭＴとの間の経路に関連する情報は、移動端末ＭＴに向けられるデータ伝送若しくは移動端末ＭＴからのデータ伝送に関する、ダウンリンク及び／若しくはアップリンク送信電力、並びに／又は変調及び符号化方式（ＭＣＳ）から推定される、基地局ＢＳと移動端末ＭＴとの間の経路利得とすることができる。ダウンリンク及び／若しくはアップリンク送信電力、並びに／又は変調及び符号化方式は、移動端末ＭＴと基地局ＢＳとの間の経路利得を表す。
【０１７０】
移動端末ＭＴがホーム基地局ＨＢＳのセルＡＲ２の境界付近に位置するとき、ダウンリンク及び／若しくはアップリンク送信電力、並びに／又は変調及び符号化方式は、ホーム基地局ＨＢＳと基地局ＢＳとの間の経路利得を表すことができる。
【０１７１】
基地局ＢＳと移動端末ＭＴとの間の経路に関連する情報は、上記の情報の任意の組み合わせとすることができる。
【０１７２】
上記の情報が入手されると、プロセッサ４００は、ステップＳ７０３において、基地局ＢＳとホーム基地局ＨＢＳとの間のハンドオーバの実行を命令する。
【０１７３】
次のステップＳ７０５において、プロセッサ４００は、ステップＳ７０２において得られた情報を、無線インターフェース４０５を通じて転送するように命令する。
【０１７４】
その後、プロセッサ４００はステップＳ７００に戻る。
【０１７５】
ハンドオーバの実行前に移動端末ＭＴが基地局ＢＳと通信することができる場合には、ステップＳ７０６において、プロセッサ４００は、基地局ＢＳと移動端末ＭＴとの間の経路に関連する情報を入手する。
【０１７６】
移動端末ＭＴに関連する情報は、ステップＳ７０２において開示される情報と同じである。
【０１７７】
次のステップＳ７０７において、プロセッサ４００は、ステップＳ７０６において得られた情報を、無線インターフェース４０５を通じて転送するように命令する。
【０１７８】
ステップＳ７０８において、プロセッサ４００は、ホーム基地局ＨＢＳから基地局ＢＳへのハンドオーバの実行を命令する。
【０１７９】
その後、プロセッサ４００はステップＳ７００に戻る。
【０１８０】
図８は、本発明の第２の実現形態による、ホーム基地局によって実行されるアルゴリズムの一例を開示する。
【０１８１】
より厳密には、本アルゴリズムは、ホーム基地局ＨＢＳのプロセッサ２００によって実行される。
【０１８２】
ステップＳ８００において、プロセッサ２００は、遠隔通信装置との進行中の通信を継続するために、移動端末ＭＴに対してハンドオーバが実行される必要があるか否かを調べる。基地局ＢＳからホーム基地局ＢＳへの進行中の通信のハンドオーバが実行される場合があるか、又はホーム基地局ＨＢＳから基地局ＢＳへのハンドオーバが実行される場合がある。
【０１８３】
遠隔通信装置との進行中の通信を継続するために、移動端末ＭＴに対してハンドオーバが実行される必要がある場合には、プロセッサ２００はステップＳ８０１に進む。そうでない場合には、プロセッサ２００はステップＳ８００に戻る。
【０１８４】
ステップＳ８０１において、プロセッサ２００は、基地局ＢＳからホーム基地局ＨＢＳへの進行中の通信のハンドオーバが実行されなければならないか否かを調べる。
【０１８５】
基地局ＢＳからホーム基地局ＨＢＳへの進行中の通信のハンドオーバが実行されなければならない場合には、プロセッサ２００はステップＳ８０３に進む。
【０１８６】
ホーム基地局ＨＢＳから基地局ＢＳへの進行中の通信のハンドオーバが実行されなければならない場合には、プロセッサ２００はステップＳ８０２に進む。
【０１８７】
ステップＳ８０２において、プロセッサ２００は、基地局ＢＳと移動端末ＭＴとの間の経路に関連する情報を入手する。
【０１８８】
基地局ＢＳと移動端末ＭＴとの間の経路に関連する情報は、無線インターフェース２０５を通じて、移動端末ＭＴから少なくとも部分的に受信される。該情報は、図７のステップＳ７０５又はＳ７０７において転送される情報と同じである。
【０１８９】
ハンドオーバが実行されなければならない移動端末ＭＴと基地局ＢＳとの間の経路に関連する情報がタイミングアドバンス情報である場合には、プロセッサ２００はさらに、基地局ＢＳのサービスエリアを入手し、タイミングアドバンス情報を、基地局ＢＳの最大サービスエリアに対応するタイミングアドバンス情報で除算する。
【０１９０】
基地局ＢＳの最大サービスエリアに対応するタイミングアドバンス情報は、図６のステップＳ６０２又はＳ６０３において開示されるようにプロセッサ２００によって求められる。
【０１９１】
ハンドオーバが実行されなければならない移動端末ＭＴと基地局ＢＳとの間の経路に関連する情報が、移動端末ＭＴに向けられるデータ伝送若しくは移動端末ＭＴからのデータ伝送に関する、ダウンリンク及び／若しくはアップリンク送信電力、並びに／又は変調及び符号化方式（ＭＣＳ）から推定される、基地局ＢＳと移動端末ＭＴとの間の経路利得である場合には、
プロセッサ２００はさらに、基地局ＢＳのサービスエリアに対応する経路利得、すなわち、基地局ＢＳのサービスエリア内の最小経路利得を入手し、移動端末ＭＴに関する経路利得を、基地局ＢＳのサービスエリアに対応する経路利得で除算する。
【０１９２】
基地局ＢＳのサービスエリアに対応する経路利得は、図６のステップＳ６０２又はＳ６０３において開示されるようにプロセッサ２００によって求められる。
【０１９３】
ハンドオーバが実行されなければならない移動端末ＭＴと基地局ＢＳとの間の経路に関連する情報は、上記の情報の任意の組み合わせとすることができる。
【０１９４】
上記の情報が得られると、プロセッサ２００は、その情報をＲＡＭメモリ２０３に記憶し、ホーム基地局ＨＢＳと基地局ＢＳとの間のハンドオーバの実行を命令する。
【０１９５】
次のステップＳ８０４において、プロセッサ２００は、以前に記憶された情報から、平均値を求める。
【０１９６】
次のステップＳ８０５において、プロセッサ２００は、ステップＳ８０４における平均値を用いて、少なくとも１つの送信電力を求める。プロセッサ２００は、ホーム基地局ＨＢＳ送信電力に対して制限を加え、且つ／又はホーム基地局ＨＢＳがサービス提供する全ての移動端末ＭＴの送信電力に対して制限を加える。その制限は全送信電力に加えることができるが、全送信電力が限られた周波数資源に過度に集中するのを避けるために、Ｈｚ毎に行なうこともできる。ホーム基地局ＨＢＳがサービス提供する移動端末ＭＴは、最大送信電力が所与の値に制限されることを通知される。
【０１９７】
その後、プロセッサ２００はステップＳ８００に戻る。
【０１９８】
ステップＳ８０３において、プロセッサ２００は、ホーム基地局ＨＢＳと基地局ＢＳとの間のハンドオーバの実行を命令する。
【０１９９】
ハンドオーバが実行されると、プロセッサ２００は、ハンドオーバが実行された移動端末ＭＴに関連する情報を入手する。
【０２００】
ハンドオーバが実行された移動端末ＭＴに関連する情報は、移動端末ＭＴから少なくとも部分的に受信される。該情報は、図８のステップＳ８０２において開示される情報と同じである。
【０２０１】
プロセッサ２００は、図８のステップＳ８０２において開示されたのと同じようにして、ハンドオーバが実行された移動端末ＭＴに関連する情報を入手する。
【０２０２】
その後、プロセッサ２００は、既に開示されているステップＳ８０４に進む。
【０２０３】
当然、本発明の範囲から逸脱することなく、上記の本発明の実施形態に対して数多くの変更を加えることができる。
【図１】
2010183573.tif 000003
【図２】
2010183573.tif 000004
【図３】
2010183573.tif 000005
【図４】
2010183573.tif 000006
【図５】
2010183573.tif 000007
【図６】
2010183573.tif 000008
【図７】
2010183573.tif 000009
【図８】
2010183573.tif 000010
【外国語明細書】
2010183573.tif 000011
2010183573.tif 000012
2010183573.tif 000013
2010183573.tif 000014
2010183573.tif 000015
2010183573.tif 000016
2010183573.tif 000017
2010183573.tif 000018
2010183573.tif 000019
2010183573.tif 000020
2010183573.tif 000021
2010183573.tif 000022
2010183573.tif 000023
2010183573.tif 000024
2010183573.tif 000025
2010183573.tif 000026
2010183573.tif 000027
2010183573.tif 000028
2010183573.tif 000029
2010183573.tif 000030
2010183573.tif 000031
2010183573.tif 000032
2010183573.tif 000033
2010183573.tif 000034
2010183573.tif 000035
2010183573.tif 000036
2010183573.tif 000037
2010183573.tif 000038
2010183573.tif 000039
2010183573.tif 000040
2010183573.tif 000041
2010183573.tif 000042
2010183573.tif 000043
2010183573.tif 000044
2010183573.tif 000045
2010183573.tif 000046